(57)【要約】【課題】複数のワイヤが２列配置されるとともに各列毎に複数本配置されたワイヤハーネスの被覆層を剥がす際、１回の被覆剥がし作業で全てのワイヤの被覆を剥がすことができるようにする。【解決手段】第１列のワイヤ９２ａと第２列のワイヤ９２ｂとの間に位置して、全てのワイヤ９２ａ、９２ｂの被覆層に切り込みを入れる中央刃１と、中央刃１側に移動したときに中央刃１との間に第１列のワイヤ９２ａを挟持して第１列のワイヤ９２ａの被覆層に切り込みを入れる第１可動刃２と、中央刃１側に移動したときに中央刃１との間に第２列のワイヤ９２ｂを挟持して第２列のワイヤ９２ｂの被覆層に切り込みを入れる第２可動刃３とを設ける。そして、３個の刃１〜３によって全てのワイヤ９２が挟持された状態で、ワーク９を３個の刃１〜３側から遠ざかる向きに移動させて、ワイヤ９２の先端側の被覆層をワイヤ９２から剥がす。【選択図】図１
2014096868.tif 000002
【特許請求の範囲】
【請求項１】
芯線を被覆層にて覆った複数のワイヤ（９２ａ、９２ｂ）が、２列配置されるとともに各列毎に複数本配置された状態で、保持部材（９１）によって一体的に保持された、ワイヤハーネスの被覆剥がし装置であって、
第１列のワイヤ（９２ａ）と第２列のワイヤ（９２ｂ）との間に位置して、全ての前記ワイヤ（９２ａ、９２ｂ）の被覆層に切り込みを入れる中央刃（１）と、
前記第１列のワイヤ（９２ａ）と前記第２列のワイヤ（９２ｂ）の並び方向に沿って移動可能で、前記中央刃（１）側に移動したときに前記中央刃（１）との間に前記第１列のワイヤ（９２ａ）を挟持して前記第１列のワイヤ（９２ａ）の被覆層に切り込みを入れる第１可動刃（２）と、
前記第１列のワイヤ（９２ａ）と前記第２列のワイヤ（９２ｂ）の並び方向に沿って移動可能で、前記中央刃（１）側に移動したときに前記中央刃（１）との間に前記第２列のワイヤ（９２ｂ）を挟持して前記第２列のワイヤ（９２ｂ）の被覆層に切り込みを入れる第２可動刃（３）とを備え、
前記３個の刃（１〜３）によって全ての前記ワイヤ（９２ａ、９２ｂ）が挟持された状態で、全ての前記ワイヤ（９２ａ、９２ｂ）および前記保持部材（９１）と、前記３個の刃（１〜３）とが、相対的に遠ざかる向きに移動されることを特徴とするワイヤハーネスの被覆剥がし装置。
【発明の詳細な説明】
【技術分野】
【０００１】
本発明は、複数のワイヤが保持部材によって一体的に保持されたワイヤハーネスの被覆剥がし装置に関するものである。
【背景技術】
【０００２】
従来、複数のワイヤの被覆層を同時に切断して剥がす被覆剥がし装置として、ワイヤの被覆層に切り込みを入れる刃を２つ設け、２つの刃の間に複数のワイヤを挟持して、ワイヤの被覆層を切断して剥がすものが提案されている（例えば、特許文献１参照）。
【先行技術文献】
【特許文献】
【０００３】
【特許文献１】特開２００８−２７１６３２号公報
【発明の概要】
【発明が解決しようとする課題】
【０００４】
しかしながら、従来の被覆剥がし装置は、複数のワイヤが２列配置されるとともに各列毎に複数本配置されたワイヤハーネスの場合、全てのワイヤの被覆を同時に剥がすことができないため、各列毎に被覆層を切断して剥がす必要があった。すなわち、被覆剥がし作業を２回行う必要があった。
【０００５】
本発明は上記点に鑑みて、複数のワイヤが２列配置されるとともに各列毎に複数本配置されたワイヤハーネスの被覆層を剥がす際、１回の被覆剥がし作業で全てのワイヤの被覆を剥がすことができるようにすることを目的とする。
【課題を解決するための手段】
【０００６】
上記目的を達成するため、請求項１に記載の発明では、芯線を被覆層にて覆った複数のワイヤ（９２ａ、９２ｂ）が、２列配置されるとともに各列毎に複数本配置された状態で、保持部材（９１）によって一体的に保持された、ワイヤハーネスの被覆剥がし装置であって、第１列のワイヤ（９２ａ）と第２列のワイヤ（９２ｂ）との間に位置して、全てのワイヤ（９２ａ、９２ｂ）の被覆層に切り込みを入れる中央刃（１）と、第１列のワイヤ（９２ａ）と第２列のワイヤ（９２ｂ）の並び方向に沿って移動可能で、中央刃（１）側に移動したときに中央刃（１）との間に第１列のワイヤ（９２ａ）を挟持して第１列のワイヤ（９２ａ）の被覆層に切り込みを入れる第１可動刃（２）と、第１列のワイヤ（９２ａ）と第２列のワイヤ（９２ｂ）の並び方向に沿って移動可能で、中央刃（１）側に移動したときに中央刃（１）との間に第２列のワイヤ（９２ｂ）を挟持して第２列のワイヤ（９２ｂ）の被覆層に切り込みを入れる第２可動刃（３）とを備え、３個の刃（１〜３）によって全てのワイヤ（９２ａ、９２ｂ）が挟持された状態で、全てのワイヤ（９２ａ、９２ｂ）および保持部材（９１）と、３個の刃（１〜３）とが、相対的に遠ざかる向きに移動されることを特徴とする。
【０００７】
これによると、複数のワイヤ（９２ａ、９２ｂ）が２列配置されるとともに各列毎に複数本配置されたワイヤハーネスの被覆を剥がす際、１回の被覆剥がし作業で全てのワイヤ（９２ａ、９２ｂ）の被覆を剥がすことができる。
【０００８】
なお、この欄および特許請求の範囲で記載した各手段の括弧内の符号は、後述する実施形態に記載の具体的手段との対応関係を示すものである。
【図面の簡単な説明】
【０００９】
【図１】（ａ）は本発明の一実施形態に係る被覆剥がし装置を示す正面図、（ｂ）は（ａ）の右側面図である。
【図２】（ａ）は一実施形態に係る被覆剥がし装置の被覆切り込み工程を示す正面図、（ｂ）は（ａ）の右側面図である。
【図３】（ａ）は本発明の一実施形態に係る被覆剥がし装置の被覆脱離工程を示す正面図、（ｂ）は（ａ）の右側面図である。
【発明を実施するための形態】
【００１０】
本発明の一実施形態について説明する。
【００１１】
図１に示すように、ワーク９は、４個の貫通穴が形成された保持部材としてのゴム製のブッシュ９１と、ブッシュ９１の貫通穴に通された４本のワイヤ９２とを備え、４本のワイヤ９２がブッシュ９１によって一体的に保持されている。
【００１２】
ワーク９は、図示しない駆動手段に駆動されて、ブッシュ９１の軸方向（すなわち、図１（ｂ）の紙面左右方向）に往復動可能になっている。
【００１３】
ブッシュ９１に保持されたワイヤ９２は、上下に２列に配置され、上側の列には水平方向に２本配置され、下側の列にも水平方向に２本配置されている。以下、上側に配置された２本のワイヤを第１列のワイヤ９２ａ、下側に配置された２本のワイヤを第２列のワイヤ９２ｂという。
【００１４】
なお、ワイヤ９２は、電気良導体の金属よりなる芯線を、電気絶縁性に富む樹脂よりなる被覆層にて覆ったものである。
【００１５】
被覆剥がし装置は、第１列のワイヤ９２ａと第２列のワイヤ９２ｂとの間に位置する板状の中央刃１と、第１列のワイヤ９２ａの上方に位置する板状の第１可動刃２と、第２列のワイヤ９２ｂの下方に位置する板状の第２可動刃３とを備えている。
【００１６】
中央刃１は、第１列のワイヤ９２ａの被覆層における下側部位に切り込みを入れる中央刃上側切り込み刃部１１と、第２列のワイヤ９２ｂの被覆層における上側部位に切り込みを入れる中央刃下側切り込み刃部１２とを備えている。また、中央刃１は、図示しない台に固定されている。
【００１７】
第１可動刃２は、図示しない駆動手段に駆動されて、第１列のワイヤ９２ａと第２列のワイヤ９２ｂの並び方向（すなわち、図１の紙面上下方向）に沿って往復動可能になっている。また、第１可動刃２は、第１列のワイヤ９２ａの被覆層における上側部位に切り込みを入れる第１可動刃切り込み刃部２１を備えている。
【００１８】
第２可動刃３は、図示しない駆動手段に駆動されて、第１列のワイヤ９２ａと第２列のワイヤ９２ｂの並び方向に沿って往復動可能になっている。また、第２可動刃３は、第２列のワイヤ９２ｂの被覆層における下側部位に切り込みを入れる第２可動刃切り込み刃部３１を備えている。
【００１９】
中央刃上側切り込み刃部１１、中央刃下側切り込み刃部１２、第１可動刃切り込み刃部２１、および第２可動刃切り込み刃部３１は、Ｖ字状で、先端が鋭利に形成されている。また、中央刃上側切り込み刃部１１と第１可動刃切り込み刃部２１が対向し、中央刃下側切り込み刃部１２と第２可動刃切り込み刃部３１が対向している。
【００２０】
次に、被覆剥がし装置を用いてワイヤ９２の被覆層を剥がす手順について説明する。
【００２１】
まず、図１に示すように、第１可動刃２が上昇し且つ第２可動刃３が下降している状態で、ワーク９を３個の刃１〜３側に向かって（すなわち、図１（ｂ）の紙面左向きに）移動させて、ワイヤ９２の先端側を３個の刃１〜３の間に挿入する。
【００２２】
より詳細には、中央刃上側切り込み刃部１１と第１可動刃切り込み刃部２１との間に、第１列のワイヤ９２ａの先端側を挿入し、中央刃下側切り込み刃部１２と第２可動刃切り込み刃部３１との間に、第２列のワイヤ９２ｂの先端側を挿入する。
【００２３】
続いて、図２に示すように、第１可動刃２を下降させて、すなわち、第１可動刃２を中央刃１側に移動させて、中央刃上側切り込み刃部１１と第１可動刃切り込み刃部２１との間に第１列のワイヤ９２ａを挟持し、第１列のワイヤ９２ａの被覆層に切り込みを入れる。
【００２４】
同様に、第２可動刃３を上昇させて、すなわち、第２可動刃３を中央刃１側に移動させて、中央刃下側切り込み刃部１２と第２可動刃切り込み刃部３１との間に第２列のワイヤ９２ｂを挟持し、第２列のワイヤ９２ｂの被覆層に切り込みを入れる。
【００２５】
続いて、３個の刃１〜３によって全てのワイヤ９２が挟持された状態（図２の状態）で、図３に示すように、ワーク９を３個の刃１〜３側から遠ざかる向きに（すなわち、図３（ｂ）の紙面右向きに）移動させて、ワイヤ９２の先端側の被覆層をワイヤ９２から剥がす。なお、３個の刃１〜３によって全てのワイヤ９２が挟持された状態（図２の状態）で、３個の刃１〜３をワーク９から遠ざかる向きに（すなわち、図３（ｂ）の紙面左向きに）移動させて、ワイヤ９２の先端側の被覆層をワイヤ９２から剥がすようにしてもよい。
【００２６】
本実施形態によると、複数のワイヤ９２が２列配置されるとともに各列毎に複数本配置されたワイヤハーネスの被覆を剥がす際、１回の被覆剥がし作業で全てのワイヤ９２の被覆を剥がすことができる。
【符号の説明】
【００２７】
１      中央刃
２      第１可動刃
３      第２可動刃
９１    ブッシュ（保持部材）
９２ａ  第１列のワイヤ
９２ｂ  第２列のワイヤ
【図１】
2014096868.tif 000003
【図２】
2014096868.tif 000004
【図３】
2014096868.tif 000005